(57)【要約】【目的】  路面の傾斜や形状の影響を受けず車体を直立に保持することが出来。また、停車の度に一々足を地面に着け車体を支える必要が無く、信号待ち等でも足を出さずに乗車したままでいることが出来る構造を低コストで提供をすることを目的とする。【構成】  車体１の左右の下部中央付近両側面には、アーム２が結合部を始点に前後に振り子のように可動するように結合しており、左右のアームの先端には車輪５が回転できる状態で結合している。ローター８がアーム２の上部に結合しており、レバー１３で車体に結合するキャリパー１０を操作してローター８をつかむ事でアーム２を固定し車体１の直立を保持するようになっている。路面６や路面１４の様に傾斜やデコボコがあっても左右のアーム２が別々に可動する為に各アーム２の先端にある車輪５は路面に接することが出来る。【選択図】図１
2008168885.tif 000002
【特許請求の範囲】
【請求項１】
下記の要件を特徴とする、２輪車両の転倒防止スタンド
（ア）下端に車輪が備えられ、前後方向に振り子のように可動するアームが、車体の左右の側面に直接、若しくは部材を介してそれぞれが互いの動きに干渉しあわない様に結合すること。
（イ）前記アームの車輪を含めた長さは車体の直立時に於いて、アームと車体の結合部と路面の間の距離よりも長いこと。また、アームが前方方向に振り出されない様に可動角度を鋭角に保つようにすること。
（ウ）前記アームにはディスクブレーキで言うところのローターの役目をする部分Ａがアームの一部として形成されるか、別部材として形成され直接、若しくは部材を介してアームに結合していること。前記部分Ａは前記アームと車体の結合部の前後付近に形成、若しくは結合していること。
（エ）前記車体に単数、若しくは複数個のディスクブレーキで言うところのキャリパーに相当する部材Ｂが直接、若しくは部材を介して結合していることはこと。
（オ）部分Ａを部材Ｂで掴か挟み込んで固定することで、前期アームを印意の位置に固定する様になっていること。
（カ）部材Ｂは二輪車のブレーキのように手元や足元で操作出来るようになっている。
【請求項２】
下記の要件を特徴とする、請求項１の２輪車両の転倒防止スタンド
前期アームの跳ね上がりを防ぐために、前期アームを常に路面側に押し付ける作用をするスプリング等を前期車体、若しくは前期アームに備えること。
【発明の詳細な説明】
【技術分野】
【０００１】  本願発明は、２車両の転倒防止スタンド（以下、本スタンドという）の構造に関するものである。
【背景技術】
【０００２】  従来の自立出来ない２輪車両には停車時に運転者が車両から離れた時に車体を保持するためのサイドスタンドやメインスタンドが備えられている。また、スタンドではないが補助車輪を使って転倒を防ごうとしている物もある。
【発明の開示】
【発明が解決しようとしている課題】
【０００３】  ２輪車は、車体をスイングさせる事で得られる機動性が最大の特徴でありメリットである。そのため停車時に車体を保持するスタンドが必要であった。従来のサイドスタンドは、運転者が片足を地面に着けて車体を支えた後に他方の足でスタンドを立てなければならなかった。従来のメインスタンドは、降車した後に操作しなければならず、車体が大きく重い場合には強い腕力を必要とした。また、地面に傾斜があると車体が傾き転倒などの危険性を持っていた。
【０００４】  上記のことから、短時間の停車においては面倒で使うことが出来なかった。そのため信号待ち等では停車の度に一々足を地面に着け車体を支えていた。また、足に障害等があると、足での運転操作を必要としないスクーター等の車両も運転することが出来なかった。
【０００５】  また、２輪車両は車体の傾いている側に進んでしまう特性を持っている事から、停車後の再発進時に於ける車体の直立性が非常に重要になるが、停車時に引き出す従来の補助車輪に於いては、車輪を出した時点の路面の状況（傾斜・オウトツ等）に対応で来ずに車体を直立に保つことが出来なかった。
補助車輪構造へのサスペンションの付加や、溝を切ったギヤやバンドブレーキを用いて補助車輪を制御することも出来るが、スペースの制約や耐久性・重量・コストが嵩み実用的ではなかった。
【課題を解決するための手段】
【０００６】  本願請求項に記載の発明に係る本スタンド構造は、上記の課題を解決するため、下記の構成を有している。
（ア）下端に車輪が備えられ、前後方向に振り子のように可動するアームが、車体の左右の側面に直接、若しくは部材を介してそれぞれが互いの動きに干渉しあわない様に結合すること。
（イ）前記アームの車輪を含めた長さは車体の直立時に於いて、アームと車体の結合部と路面の間の距離よりも長いこと。また、アームが前方方向に振り出されない様に可動角度を鋭角に保つようにすること。
（ウ）前記アームにはディスクブレーキで言うところのローターの役目をする部分Ａがアームの一部として形成されるか、別部材として形成され直接、若しくは部材を介してアームに結合していること。前記部分Ａは前記アームと車体の結合部の前後付近に形成、若しくは結合していること。
（エ）前記車体に単数、若しくは複数個のディスクブレーキで言うところのキャリパーに相当する部材Ｂが直接、若しくは部材を介して結合していることはこと。
（オ）部分Ａを部材Ｂで掴か挟み込んで固定することで、前期アームを印意の位置に固定する様になっていること。
（カ）部材Ｂは二輪車のブレーキのように手元や足元で操作出来るようになっている。
（キ）前期アームの跳ね上がりを防ぐために、前期アームを常に路面側に押し付ける作用をするスプリング等を前期車体、若しくは前期アームに備えること。
【発明の効果】
【０００７】  先端に車輪が備えられ、前後方向に振り子のように可動するアームを常に出した状態にしているため、アームの先端は走行の抵抗にならず路面の状態の影響も受けずに常に地面に接している。停車時に車体を直立させ、このアームを固定することで路面の傾斜や形状の影響を受けず車体を直立に保持することが出来る。また、部材Ｂを手元で操作してアームを固定することで、停車の度に一々足を地面に着け車体を支える必要が無く、信号待ち等でも足を出さずに乗車したままでいることが出来る。また、車体を直立に保持することが出来る事から再発進時に於いても直進することが出来る。
【０００８】  また、Ｕーターン時にバランスを崩し転倒することが多々あるが本スタンドは車体が傾斜している状態でも部材Ｂを手元で操作して固定することで車体をそのままの状態で保持することが出来る。色々な状況で車体の保持を手元の操作で自在に行える事から脚に障害があっても、停車と発進を行うことが出来る。
【０００９】  尚且つ、アームの固定をラチェット機構やギヤ、バンドブレーキを用いずに、ディスクブレーキと同様にプレート状の部材を挟み込むことで行うために構造が簡単で、低コスト化、省スペース化、軽量化及び耐久性の工場を行うことが出来る。
【発明を実施するための最良の形態】
【００１０】  本願発明の係るスタンド構造の形態を図に表し、その図を用いて説明する。
図１は、本願発明のスタンド構造を表しており、図１（ａ）は正面図、（ｂ）は側面図を表している。【００１１】  図１に示すように、車体１の左右の下部中央付近両側面には、アーム２がステー３を解して結合部４を支点に前後に振り子のように可動するように結合しており、左右のアームの先端には車輪５が回転できる状態で結合している。アーム２の長さは、結合部４と路面６の距離よりも長くなっている。ステー３にはストッパー７が設けられアーム２が前方方向に振り出されないようにアーム２の可動角に制限を加えている。【００１２】  ローター８がアーム２の上部に結合しておりステー９を介して車体に結合するキャリパー１０でローター８をつかむ事でアーム２を固定するようになっている。また、スプリング１１でアーム２を路面６方向に抑えることで走行中の無駄なアーム２の跳ね上がりを防いでいる。【００１３】  ハンドル１２に設けられたレバー１３を操作することでキャリパー１１を操作することが出来ることから、足を使わずに手元でアーム２を固定することが出来る。また、スピードと連動させ停車ぎりぎりの速度以下に於いてキャリパー１１を作動させて、アーム２の固定を行っても良い。【００１４】  図２（ａ）と（ｂ）に示すように、路面１４に傾斜があってもアーム２が可動する為にアーム２の先端にある車輪５は路面に接することが出来る。また、（ｃ）と（ｄ）に示すように、路面１４にデコボコやうねりがあってもアーム２が可動する為にアーム２の先端にある車輪５は路面に接することが出来る。
【図面の簡単な説明】
【００１５】
【図１】スタンドの構造を説明するための図
【図２】スタンドの作用を説明するための図
【符号の説明】
【００１６】１−車体          ６−路面            １１−スプリング
２−アーム        ７−ストッパー      １２−ハンドル
３−ステー        ８−ローター        １３−レバー
４−結合部        ９−ステー          １４−路面
５−車輪        １０−キャリパー
【図１】
2008168885.tif 000003
【図２】
2008168885.tif 000004